(57)【特許請求の範囲】
【請求項１】
セメント系長方形板を、横長姿勢で上下に並設して形成したパネルユニットの複数を、ファスナで建築構造体に取り付けて壁体を構成してあるパネル取付構造であって、
前記パネルユニットは、複数のセメント系長方形板を縦フレーム材に各別に取り付けて構成してあり、上下に隣接するパネルユニットどうしの前記縦フレーム材は、端部どうしが重なる状態に配置してあり、前記縦フレーム材どうしの重なり部分を、前記ファスナに取り付けてあるパネル取付構造。
【請求項２】
上下に隣接するパネルユニットどうしの前記縦フレーム材は、パネル面に沿う横方向視で重なっている請求項１に記載のパネル取付構造。
【請求項３】
上下に隣接するパネルユニットどうしの前記縦フレーム材は、パネル正面方向視で重なっている請求項１に記載のパネル取付構造。
【請求項４】
前記ファスナは、上下に隣接する両パネルユニットの各縦フレーム材をそれぞれ取り付ける取付部を備えてある請求項１〜３の何れか一項に記載のパネル取付構造。
【請求項５】
前記建築構造体のファスナ取付部分は、建築構造体の上面に突出状態に設けてある請求項１〜４の何れか一項に記載のパネル取付構造。
【発明の詳細な説明】
【０００１】
【発明の属する技術分野】
本発明は、セメント系長方形板（例えば、ＡＬＣ板や、ＰＣ板）を、横長姿勢で上下に並設して形成したパネルユニットの複数を、ファスナで建築構造体に取り付けて壁体（所謂カーテンウォール）を構成してあるパネル取付構造に関する。
【０００２】
【従来の技術】
ここで説明しているセメント系長方形板（以後、単にセメント系板という）は、その長さ寸法が、例えば、建物の階高程度に設定してあるものがあり、そのような前記セメント系板を、壁体として使用する場合には、一般的に、縦長姿勢として設置し、セメント系板の両端部を、それぞれ、上下階の外周部の梁（建築構造体に相当）に、ファスナで直接に取り付け固定する方法で使用されることが多い（例えば、特公平６−４１７００号公報参照）。
しかしながら、意匠的な観点から、このようなセメント系板を横長姿勢で使用することもあり、このような場合には、複数枚のセメント系板を上下に並設する関係上、上下中間部分に位置するセメント系板を、直接に梁部分に取り付けることが出来ないから、予め、上下の梁にわたって間柱を立設しておき、その間柱にセメント系板を一枚ずつ取り付けることが実施されている。しかし、このようなセメント系板の取り付けは、作業足場が必要な上、非常に手間が掛かり、効率の悪い作業となり易い。そこで、前記セメント系板を横長姿勢で上下に並設して一体化したパネルユニットを組立形成し、それらのパネルユニットをファスナで前記梁に取り付けることが考えられる。
このように考えられるパネル取付構造の一例としては、図１１・１２に示すように、複数枚の前記セメント系板１を並設して矩形枠フレーム２０で一体化して前記パネルユニットＰを構成し、フロア外周部の梁（建築構造体に相当）Ｂｂ’の上縁部、及び、下縁部に、それぞれファスナＦを取り付け、パネルユニットＰの上端部を、上階の梁Ｂｂ’の下縁部に取り付けたファスナＦに取り付けると共に、パネルユニットＰの下端部を、その階の梁Ｂｂ’の上縁部に取り付けたファスナＦに取り付けてあるものがある。
【０００３】
【発明が解決しようとする課題】
上述した従来のパネル取付構造によれば、梁の上縁部のファスナに関しては、スラブ上に立ったままの作業姿勢でパネルユニット下端部を取り付けることができるものの、梁の下縁部のファスナに関しては、スラブ上に立つだけでは、手が届かず、人が載って取り付け操作をできる高さまで足場を組んで、その上に載ってパネルユニット上端部を梁の下縁部のファスナに取り付けなければならない。従って、足場の組立解体等の余分な作業が必要となることに加えて、足場上でのパネルユニット取付作業は、無理な作業姿勢となり易いから能率が低く、パネル取付作業全体としての効率がわるいという問題点がある。
【０００４】
従って、本発明の目的は、上記問題点を解消し、パネルユニットの取付作業を簡単に且つ効率よく実施できるパネル取付構造を提供するところにある。
【０００５】
【課題を解決するための手段】
請求項１の発明の特徴構成は、図４〜１０に例示するごとく、セメント系長方形板１（以後、単にセメント系板という）を、横長姿勢で上下に並設して形成したパネルユニットＰの複数を、ファスナＦで建築構造体Ｂｂ’に取り付けて壁体Ｗを構成してあるパネル取付構造において、前記パネルユニットＰは、複数の前記セメント系板１を縦フレーム材２に各別に取り付けて構成してあり、上下に隣接するパネルユニットＰどうしの前記縦フレーム材２は、端部どうしが重なる状態に配置してあり、前記縦フレーム材２どうしの重なり部分を、前記ファスナＦに取り付けてあるところにある。
【０００６】
請求項１の発明の特徴構成によれば、前記パネルユニットは、複数の前記セメント系板を縦フレーム材に各別に取り付けて構成してあり、上下に隣接するパネルユニットどうしの前記縦フレーム材は、端部どうしが重なる状態に配置してあり、前記縦フレーム材どうしの重なり部分を、前記ファスナに取り付けてあるから、複数の前記セメント系板から上述のパネルユニットを予め形成しておいて、そのパネルユニットをファスナで建築構造体に取り付けるといった効率の良い施工方法を採用することが可能となる。
しかも、複数の前記セメント系板は、縦フレーム材によって一体化されているから、従来のように矩形枠フレームで一体化されているものに比べて、構造の単純化を図れることに加えて、部品点数を少なくすることが可能となり、前記パネルユニットの形成コストの低減を図ることが可能となる。
しかも、上下に隣接するパネルユニットどうしの縦フレーム材は、端部どうしが重なる状態に配置してあると共に、その重なり部分をファスナで建築構造体に取り付けてあるから、上下パネルユニットの建築構造体への取付操作を、同じ高さで実施でき、無駄な段取り替えを行わなくても、迅速に実施することが可能となる。そして、例えば、縦フレーム材の重なり部分が、建築構造体の上部に突出した位置であれば、足場を組まなくても、上下のパネルユニット簡単に取付固定することが可能となる。
従って、建築構造体へのパネルユニットの取付作業に対して、全体として効率向上を図ると同時に、コストダウンを叶えることが可能となる。
【０００７】
請求項２の発明の特徴構成は、図４〜９に例示するごとく、上下に隣接するパネルユニットＰどうしの前記縦フレーム材２は、パネル面に沿う横方向視で重なっているところにある。
【０００８】
請求項２の発明の特徴構成によれば、請求項１に記載の発明による作用効果を叶えることができるのに加えて、上下に隣接するパネルユニットどうしの前記縦フレーム材が、パネル面に沿う横方向視で重なっているから、両縦フレーム材の太さが同じものであれば、ファスナから両パネルユニットまでの離間距離も同じになり、パネルの出入り寸法を合わせ易く、より迅速に、綺麗な仕上がりに壁体を構成することが可能となる。
【０００９】
請求項３の発明の特徴構成は、図１０に例示するごとく、上下に隣接するパネルユニットＰどうしの前記縦フレーム材２は、パネル正面方向視で重なっているところにある。
【００１０】
請求項３の発明の特徴構成によれば、請求項１に記載の発明による作用効果を叶えることができるのに加えて、上下に隣接するパネルユニットどうしの前記縦フレーム材は、パネル正面方向視で重なっているから、固定具として、縦フレーム材を貫通させてファスナーに固定するようなもの（例えば、貫通ボルト）を使用する場合、両縦フレーム材の重なり部を、一つの固定具でファスナに取付固定することが可能となり、簡単に迅速にパネルユニットの取付作業を実施することが可能となる。
【００１１】
請求項４の発明の特徴構成は、図４・５・１０に例示するごとく、前記ファスナＦは、上下に隣接する両パネルユニットＰの各縦フレーム材２をそれぞれ取り付ける取付部１０を備えてあるところにある。
【００１２】
請求項４の発明の特徴構成によれば、請求項１〜３の何れか一項に記載の発明による作用効果を叶えることができるのに加えて、前記ファスナは、上下に隣接する両パネルユニットの各縦フレーム材をそれぞれ取り付ける取付部を備えてあるから、一つのファスナーに両縦フレーム材を取り付けることができる。従って、使用するファスナの数を少なくでき、部品コストの低減、及び、取付部分の意匠性を向上させることが可能となる。
【００１３】
請求項５の発明の特徴構成は、図４・５・１０に例示するごとく、前記建築構造体Ｂｂ’のファスナ取付部分は、建築構造体Ｂｂ’の上面に突出状態に設けてあるところにある。
【００１４】
請求項５の発明の特徴構成によれば、請求項１〜４の何れか一項に記載の発明による作用効果を叶えることができるのに加えて、前記建築構造体のファスナ取付部分は、建築構造体の上面に突出状態に設けてあるから、建築構造体の床レベルの延長線上でファスナへのパネルユニットの取付作業を実施することが可能となる。
その結果、無理な姿勢での作業を回避できると共に、従来のような作業足場を設ける必要がないから、パネルユニット取付作業効率を、より向上させることができる。
【００１５】
尚、上述のように、図面との対照を便利にするために符号を記したが、該記入により本発明は添付図面の構成に限定されるものではない。
【００１６】
【発明の実施の形態】
以下に本発明の実施の形態を図面に基づいて説明する。尚、図面において従来例と同一の符号で表示した部分は、同一又は相当の部分を示している。
【００１７】
図１は、本発明のパネル取付構造の一実施形態を採用した建物Ｂの要部を示すものである。
前記建物Ｂは、鉄骨構造で、Ｈ形鋼からなる複数の柱Ｂｐと、それら隣接する柱間にわたって設けられたＨ形鋼からなる梁Ｂｂと、スラブＢｓとを備えて構成してある。
そして、外周部の梁（建築構造体の一例）Ｂｂ’には、壁体Ｗを構成するパネルユニットＰがファスナＦを介して並設状態に取り付けてある。
【００１８】
前記パネルユニットＰは、図２に示すように、細長形状のＡＬＣ板（セメント系長方形板の一例）１の複数枚を、横長姿勢で上下に並設して、裏面側にチャンネル部材からなる縦フレーム材２を取り付けて一体化してある。
前記縦フレーム材２とＡＬＣ板１との固定は、図３に示すように、予めＡＬＣ板１にボルト挿通孔１ａを形成しておくと共に、そのボルト挿通孔１ａに、頭部をＬ字型に屈曲形成したフックボルト３を挿通してナット３ａで締め付けることによって、縦フレーム材２のフランジ部分を、ＡＬＣ板１とフックボルト３の屈曲頭部とで挟持して相互の固定を図るものである。尚、ナット３ａは、ボルト挿通孔１ａの座繰り部に納まるように形成してあり、締付後には、座繰り部へのコーキング材の充填によってナット３ａやフックボルト３がＡＬＣ板表面に露出するのを防止して、劣化防止と共に意匠性の向上を図ってある。
尚、前記縦フレーム材２は、当該実施形態によれば、一つのパネルユニットＰにおいて左右端部側に各別に設けてある。
また、前記縦フレーム材２の長さ寸法は、一つのパネルユニットＰにおける全ＡＬＣ板の合計縦寸法より長めに設定してあり、当該実施形態においては、パネルユニットＰの上端側に縦フレーム材２の長さ超過部分がはみ出す状態にして各ＡＬＣ板１と一体化してある（図２・３・６参照）。こうすることによって、後述する如く、上下のパネルユニットＰどうしのファスナＦへの取付位置を同じ高さに揃えることができると共に、当該パネルユニットＰを吊り上げる際に、はみ出し部分の取付用ボルト穴２ｂに玉掛けワイヤを係止させればよく、上方に突出しているから係止させ易く、パネルユニットＰの設置作業をより効率よく手軽に実施することが可能となる。
そして、縦フレーム材２は、壁面に沿ってパネルユニットＰを上下に隣接させた状態で、上下の縦フレーム材２どうしが干渉しないように、ＡＬＣ板１の端部からの距離を異ならせて配置してある。具体的には、所定階のパネルユニットＰの縦フレーム材２を、図４〜６に示す下方階のように配置すると、その一つ上の階のパネルユニットＰの縦フレーム材２は、左右両方とも内側に位置するように取り付けてあり、更に、その上の階のパネルユニットＰにおいては、前記所定階と同様の配置としてある。即ち、互い違いになるように縦フレーム材２は配置されている。従って、上下に隣接するパネルユニットＰどうしの前記縦フレーム材２は、パネル面に沿う横方向視で重なっている。
また、前記上下各縦フレーム材２どうしの重なり部分２Ａにおける室内側フランジ部には、前記ファスナＦへの取付用ボルト穴２ｂが各別に形成してある。
因みに、パネルユニットＰを構成する各ＡＬＣ板１どうしの目地部分には、目地材４を介在させて、防水処理を施してある（図２参照）。更に、各パネルユニットＰどうしの目地部分にも、同様に目地材４を介在させて、防水処理を施してある（図１参照）。
【００１９】
一方、前記ファスナＦは、図４・５に示すように、短尺のアングル材で形成してあり、一方側のフランジ部Ｆ１は、前記外周部の梁Ｂｂ’の上面に沿わせて、突出する状態に溶接固定してある。そして、他方側のフランジ部Ｆ２には、上側パネルユニットＰの下端部側のボルト穴２ｂに対応する貫通孔Ｆａと、下側パネルユニットＰの上端部側のボルト穴２ｂに対応する貫通孔Ｆｂとが並設してある。因みに、これら貫通孔Ｆａ・Ｆｂに、固定ボルト５を挿通させて前記縦フレーム材２を固定することによって、ファスナＦにパネルユニットＰを取り付けることができ、この貫通孔Ｆａ・Ｆｂを形成してある前記他方側のフランジ部Ｆ２を取付部１０という。
そして、これら両貫通孔Ｆａ・Ｆｂは、横方向に細長い長穴に形成してあると共に、これらが対応する縦フレーム材２の前記各ボルト穴２ｂは、縦方向に細長い長穴に形成してある。
従って、ファスナＦに縦フレーム材２を取り付ける際、前記貫通孔Ｆａ・Ｆｂとボルト穴２ｂ・２ｂとに貫通させた固定ボルト５は、長穴に沿って径方向に移動できるから、ファスナＦとパネルユニットＰとの上下左右相対位置を変更することができ、隣接するパネルユニットＰどうしの相対位置調整を実施しながら壁体Ｗを形成していくことができる。尚、前記固定ボルト５を締め付けることによって、ファスナＦにパネルユニットＰは、確実に固定される。
【００２０】
次に、当該パネルユニットＰによる壁体の形成手順を説明する。
［１］  外周部の梁Ｂｂ’の所定位置上面に、突出状態にファスナＦを取り付けておくと共に、複数のＡＬＣ板１を並列に敷き並べて縦フレーム材２で一体的に固定してパネルユニットＰを形成する。
［２］  パネルユニットＰを、取付対象の梁部分に吊り上げた状態で、ファスナＦの貫通孔Ｆａ・Ｆｂの位置に各縦フレーム材２の取付用ボルト穴２ｂが合わさるようにパネルユニットＰを位置合わせして固定ボルト５で仮固定する。
［３］  隣接するパネルユニットＰとの位置合わせを実施した後、固定ボルト５を本締めする。
【００２１】
このようにして形成された壁体の取付構造は、上下に隣接するパネルユニットＰどうしの縦フレーム材２が、端部どうしが重なる状態に配置してあり、前記縦フレーム材２どうしの重なり部分２Ａを、前記ファスナＦに取り付けてある。
〔別実施形態〕
以下に他の実施の形態を説明する。
【００２２】
〈１〉  前記セメント系長方形板は、先の実施形態で説明したＡＬＣ板に限るものではなく、例えば、プレキャストコンクリート板や、繊維補強コンクリート板や、多孔質コンクリート板等であってもよく、それらを含めて、セメント系長方形板と総称する。
〈２〉  前記縦フレーム材は、先の実施形態で説明したチャンネル材によって構成してあるものに限るものではなく、例えば、角パイプや、Ｈ形鋼や、アングル材や、角棒等であってもよく、それらを含めて縦フレーム材と総称する。
また、パネルユニットＰにおける縦フレーム材の取付状態は、先の実施形態で説明したように、上下にパネルユニットＰを隣接させた状態で、所定階の縦フレーム材２に対して、その上下の階の縦フレーム材２は、左右両方とも内側（又は、外側）に位置するような配置（図６参照）に限るものではなく、例えば、図７に示すように、所定階の縦フレーム材に対して、その上下の階の縦フレーム材が左右両方とも、揃って右（又は、左）に位置ずれした状態であったり、図８に示すように、ジグザグ形状に縦フレーム材２が取り付くものであってもよい。
〈３〉  パネルユニットＰの配置構造に関しては、先の実施形態で説明したように、縦目地が直線上になるような配置に限るものではなく、例えば、図９に示すように、上階と縦目地がずれる状態に取り付けてあってもよい。
〈４〉  また、パネルユニットＰにおける縦フレーム材の取付状態は、先の実施形態で説明したように、上下に隣接するパネルユニットＰどうしの縦フレーム材２が、パネル面に沿う横方向視で重なっているものに限るものではなく、例えば、図１０に示すように、上下に隣接するパネルユニットＰどうしの前記縦フレーム材２が、パネル正面方向視で重なっているものであってもよい。詳細を説明すると、重なり部分２Ａは、合いジャクリ構造にしてあり、こうすることで、上下の各縦フレーム材２が、直線上に位置することとなり、意匠性を向上させることが可能となる。そして、この実施形態の場合、縦フレーム材２どうしの重なり部分２Ａが、パネル厚み方向に重なることとなり、図に示すように、両縦フレーム材２をファスナＦに取り付ける固定ボルト５を兼用化することが可能となり、部材コストや取付作業コストの低減化を図ることが可能となる。
【図面の簡単な説明】
【図１】建物要部を示す一部切欠き斜視図
【図２】パネルユニットの裏面図
【図３】セメント系長方形板と縦フレーム材との取付状況を示す要部断面図
【図４】パネルユニットの取付状況を示す建物要部斜視図
【図５】パネルユニットとファスナとの取付状況を示す説明図
【図６】パネルユニットの取付状況を示す裏面図
【図７】別実施形態のパネルユニットの取付状況を示す裏面図
【図８】別実施形態のパネルユニットの取付状況を示す裏面図
【図９】別実施形態のパネルユニットの取付状況を示す裏面図
【図１０】別実施形態のパネルユニットの取付状況を示す建物要部斜視図
【図１１】従来のパネルユニットの裏面図
【図１２】従来のパネルユニットの取付状況を示す断面図
【符号の説明】
１      セメント系長方形板
２      縦フレーム材
１０    取付部
Ｂｂ’  建築構造体
Ｆ      ファスナ
Ｐ      パネルユニット
Ｗ      壁体
【図１】
0004007757.tif 000002
【図２】
0004007757.tif 000003
【図３】
0004007757.tif 000004
【図４】
0004007757.tif 000005
【図５】
0004007757.tif 000006
【図６】
0004007757.tif 000007
【図７】
0004007757.tif 000008
【図８】
0004007757.tif 000009
【図９】
0004007757.tif 000010
【図１０】
0004007757.tif 000011
【図１１】
0004007757.tif 000012
【図１２】
0004007757.tif 000013